(57)【特許請求の範囲】
【請求項１】
複数の側面を有し、外部から供給された光の方向及び光学分布を変更するための導光板と、
前記複数の側面のうち、少なくとも二つの側面を取囲むように配置された第１ランプチューブ、前記第１ランプチューブの第１端部に配置された第１電極、及び前記第１端部と反対側の第２端部に配置された第２電極を含む第１ランプと、
前記複数の側面のうち、前記少なくとも二つの側面以外の側面に配置され、前記第１端部と隣接する第３端部と前記第２端部と隣接する第４端部とを有する第２ランプチューブ、前記第３端部に配置された第３電極、及び前記第４端部に配置された第４電極を含む第２ランプと、
導電性プレート及び前記第１電極及び前記第３電極の外側面をグリップするために前記導電性プレートから突出した導電性クリップを有し、前記第１電極及び前記第３電極を電気的に連結するためのランプ連結部材と、
前記ランプ連結部材から突出し、接地される接地部と、
前記第２電極及び前記第４電極に、互いに１８０°の位相差を有し同一の電圧レベルを有する放電電圧を供給する放電電圧供給手段と
を含むことを特徴とするバックライトアセンブリ。
【請求項２】
前記導光板は、４つの側面を有し、前記第１ランプチューブがＬ字形状に形成されて前記導光板の隣接する２つの側面を取囲み前記第２ランプチューブがＬ字形状に形成されて前記導光板の前記２つの側面以外の２つの側面を取囲むように四角フレーム形態に配置されることを特徴とする請求項１に記載のバックライトアセンブリ。
【請求項３】
前記放電電圧供給手段は、前記第１ランプの前記第２電極に第１位相を有する第１放電電圧を印加する第１インバータと、前記第２ランプの前記第４電極に前記第１位相に対して１８０°の位相差を有する第２位相を有する第２放電電圧を印加する第２インバータとを含むことを特徴とする請求項１に記載のバックライトアセンブリ。
【請求項４】
前記放電電圧供給手段は、前記第２電極に印加される第１放電電圧を発生させるインバータと、前記インバータから発生された前記第１放電電圧の位相を１８０°変調した第２放電電圧を前記第４電極に供給する位相変調部とを含むことを特徴とする請求項１に記載のバックライトアセンブリ。
【請求項５】
前記第１電極及び前記第３電極は外部電極であることを特徴とする請求項１に記載のバックライトアセンブリ。
【請求項６】
前記第２電極及び前記第４電極は外部電極であることを特徴とする請求項１に記載のバックライトアセンブリ。
【請求項７】
プレート形状に形成され、４つの側面を有し、外部から供給された光の方向及び光学分布を変更するための導光板と、
前記４つの側面のうち、２つの側面を取囲むＬ字形状の第１ランプチューブ、前記第１ランプチューブの第１端部の表面に配置された第１電極、及び前記第１ランプチューブの前記第１端部と反対側の第２端部の内部に配置された第２電極を含む第１ランプと、
前記４つの側面のうち、前記２つの側面以外の２つの側面を取囲むＬ字形状の第２ランプチューブ、前記第１電極と隣接する前記第２ランプチューブの第３端部の表面に配置された第３電極、及び前記第２電極と隣接する前記第２ランプチューブの第４端部の内部に配置された第４電極を含む第２ランプと、
導電性プレート及び前記第１電極及び前記第３電極の外側面をグリップするために前記導電性プレートから突出した導電性クリップを有し、前記第１電極及び前記第３電極を電気的に連結するためのランプ連結部材と、
前記ランプ連結部材から突出し、接地される接地部と、
前記第２電極及び第４電極に、互いに１８０°の位相差を有し電圧レベルが同一の放電電圧を供給する放電電圧供給手段と
を含むことを特徴とするバックライトアセンブリ。
【請求項８】
前記放電電圧供給手段は、前記第１ランプの前記第２電極に前記第１放電電圧を印加する第１インバータと、前記第２ランプの前記第４電極に前記第２放電電圧を印加する第２インバータとを含むことを特徴とする請求項７に記載のバックライトアセンブリ。
【請求項９】
前記放電電圧供給手段は、前記第２電極に印加される第１放電電圧を発生させるインバータと、前記インバータから発生された前記第１放電電圧の位相を１８０°変調した第２放電電圧を前記第４電極に供給する位相変調部とを含むことを特徴とする請求項７に記載のバックライトアセンブリ。
【請求項１０】
バックライトアセンブリと、前記バックライトアセンブリから発生した前記光を受けて情報が含まれたディスプレー光を発生させる液晶表示パネルアセンブリとを含み、前記バックライトアセンブリは、
複数の側面を有し、外部から供給された光の方向及び光学分布を変更するための導光板と、
前記複数の側面のうち、少なくとも二つの側面を取囲むように配置された第１ランプチューブ、前記第１ランプチューブの第１端部に配置された第１電極、及び前記第１端部と反対側の第２端部に配置された第２電極を含む第１ランプと、
前記複数の側面のうち、前記少なくとも二つの側面以外の側面に配置され、前記第１端部と隣接する第３端部と、前記第２端部と隣接する第４端部とを有する第２ランプチューブ、前記第３端部に配置された第３電極、及び前記第４端部に配置された第４電極を含む第２ランプと、
導電性プレート及び前記第１電極及び前記第３電極の外側面をグリップするために前記導電性プレートから突出した導電性クリップを有し、前記第１電極及び前記第３電極を電気的に連結するためのランプ連結部材と、
前記ランプ連結部材から突出し、接地される接地部と、
前記第２電極及び前記第４電極に、互いに１８０°の位相差を有し同一の電圧レベルを有する放電電圧を供給する放電電圧供給手段と、
前記第１ランプ、前記第２ランプ、前記導光板及び前記ランプ連結部材を収納する収納容器とを含むことを特徴とする液晶表示装置。
【請求項１１】
前記収納容器には、前記液晶表示パネルアセンブリの有効ディスプレー領域が開口されるように固定され、前記ランプ連結部材と電気的に連結されるシャーシが結合されることを特徴とする請求項１０に記載の液晶表示装置。
【請求項１２】
前記ランプ連結部材の前記導電性プレートは、Ｌ字形状であることを特徴とする請求項１０に記載の液晶表示装置。
【請求項１３】
前記導電性プレートと前記収納容器との間には衝撃緩和部材がさらに設けられることを特徴とする請求項１２に記載の液晶表示装置。
【請求項１４】
前記第１電極及び前記第３電極は、前記第１、第２ランプチューブの外側表面に形成されることを特徴とする請求項１０に記載の液晶表示装置。
【請求項１５】
前記第２電極及び前記第４電極は、前記第１、第２ランプチューブの外側表面に形成されることを特徴とする請求項１９に記載の液晶表示装置。
【発明の詳細な説明】
【０００１】
【発明の属する技術分野】
本発明は、ランプアセンブリ及びこれを利用した液晶表示装置に関するものであり、より詳細には、ディスプレーに必要な光を発生するランプに放電電圧を提供するランプワイヤの長さを最小化して、ランプワイヤが占める空間のサイズも共に減少させることは勿論、組立性を向上させたランプアセンブリ及びこれを利用した液晶表示装置に関するものである。
【０００２】
【従来の技術】
一般に、液晶表示装置（Ｌｉｑｕｉｄ  Ｃｒｙｓｔａｌ  Ｄｉｓｐｌａｙ；ＬＣＤ）は液晶を精密に制御し、情報処理装置で処理されたデータを使用者が認識することができるようにディスプレーする表示装置の一つとして定義することができる。このように定義された液晶表示装置が情報をディスプレーするために、電界の強さにより光透過度が変更される液晶が使用される。
【０００３】
このような理由で、液晶表示装置は、液晶層に微小面積単位に相異する電界を印加する技術及び液晶に均一な輝度を有する光を供給する技術を必要とする。
【０００４】
これらのうち、液晶層に微小面積単位に互いに異なる電界を印加する技術は、薄膜形態のトランジスター及び透明な導電性薄膜により具現される。
【０００５】
一方、液晶に光を供給する技術は多様な方法が開発されたが、冷陰極線管方式ランプ（Ｃｏｌｄ  Ｃａｔｈｏｄｅ  Ｆｌｕｏｒｅｓｃｅｎｃｅ  Ｌａｍｐ；ＣＣＦＬ）を利用して液晶に光を供給する技術が主に使用される。
【０００６】
このように、液晶に光を供給するランプとして冷陰極線管方式ランプを使用する理由は、冷陰極線管方式ランプが高輝度特性、白色光特性、低発熱特性、長寿命特性を全て備えているためである。
【０００７】
このような、多様な特性を有する冷陰極線管方式ランプは、加熱によらず、イオン解離による２次電子放出とイオンの再結合により生ずる光電子（ｐｈｏｔｏｅｌｅｃｔｒｏｎｓ）の放出による電子が蛍光物質を刺激して光を発生させる放電ランプの一種である。
【０００８】
図１には、従来の冷陰極線管方式ランプの一例が示している。
【０００９】
図１に示すように、冷陰極線管方式ランプ１０は、ランプチューブ５、電極８、９により構成される。
【００１０】
ランプチューブ５は、チューブ本体４、チューブ本体４の内壁に形成された蛍光物質３、チューブ本体４の内部に注入された放電ガス２により構成される。
【００１１】
このような構成を有するランプチューブ５の内部には、ランプチューブの両端に、互いに向き合うように一対の電極８、９が配置される。
【００１２】
このような構成を有する冷陰極線管方式ランプ１０は、いずれか一方の電極８から他方の電極９へ電子が空間移動するに十分である“放電電圧”が外部から印加されることにより、可視光線を発生させる。
【００１３】
この時、一対の電極８、９には、外部から放電電圧を印加するために、ランプワイヤ８ａ、９ａが溶接などの方法により結合される。このランプワイヤ８ａ、９ａの端部にはコネクタ７が結合される。
【００１４】
一方、最近、液晶表示装置が大型化されるにつれて、液晶表示装置に供給すべきものである光の光量も急激に増加される趨勢である。これにより、図１に示した冷陰極線管方式ランプ１０に比べて一層長くされた冷陰極線管方式ランプが必要とされる。このような要求により、最近では、図２に示したようにＬ字形を有する冷陰極線管方式ランプアセンブリ２０も開発されたことがある。このＬ字形冷陰極線管方式ランプアセンブリ２０では、二本のＬ字形の冷陰極線管方式ランプが四角形フレーム形態に配置され、さらに多くの量の光を液晶表示装置に供給することに適合する。
【００１５】
図２の図面符号２１及び２２はランプチューブであり、２１ａ、２１ｂ、２２ａ、２２ｂはＬ字形冷陰極線管方式ランプアセンブリ２０に電源を供給するためのランプワイヤであり、図面符号７はランプワイヤコネクタである。
【００１６】
しかし、従来の、図１の冷陰極線管方式ランプ１０及び図２の冷陰極線管方式ランプアセンブリ２０は、いずれも、ランプワイヤによる多様な問題点を有する。
【００１７】
特に、図１の冷陰極線管方式ランプ１０に比べて長く形成されている図２の冷陰極線管方式ランプアセンブリ２０では、ランプワイヤ２１ａ、２１ｂ、２２ａ、２２ｂによる問題点はさらに大きなものとなる。
【００１８】
図３を参照して、図２のＬ字形冷陰極線管方式ランプアセンブリ２０のランプワイヤ２１ａ、２２ａにより液晶表示装置３０の全体積が増加する原因を詳細に説明する。
【００１９】
図３の図面符号３１はランプが収納される収納容器であり、図面符号３２はＬ字形冷陰極線管方式ランプアセンブリ２０から供給された光が供給される導光板である。より具体的に、収納容器３１は一例として上面が開口された六面体ボックス形状を有する。即ち、４つの側面と１つの基底面を有する。図３には、一例として４つの側面のうち、隣接する２つの側面３１ａ、３１ｄと基底面３１ｃが示している。導光板３２は４つの側面、その４側面により形成された上面及び基底面を有する六面体プレート形状に形成されており、収納容器３１の内部基底面３１ｃに置かれる。
【００２０】
一方、前述したようにランプワイヤ２１ａ、２２ａを有するＬ字形冷陰極線管方式ランプアセンブリ２０は、収納容器３１の側面３１ａ、３１ｄと導光板３２の側面との間に設けられる。この時、ランプワイヤ２１ａ、２２ａを固定するために、Ｌ字形冷陰極線管方式ランプアセンブリ２０と収納容器３１の側壁３１ａ、３１ｄとの間には、ランプワイヤ収納壁３１ｂ、３１ｅがさらに設けられる。
【００２１】
このランプワイヤ収納壁３１ｂ、３１ｅにより、収納容器３１のサイズが、Ｗ１及びＷ２の分さらに大きくなってしまう。これにより、液晶表示装置３０は不必要に体積が増加されるという問題点を有する。
【００２２】
【発明が解決しようとする課題】
本発明の目的は、ランプワイヤの長さを最小化して液晶表示装置の体積を大きく減少させたランプアセンブリを提供することにある。
【００２３】
本発明の他の目的は、ランプワイヤの長さを最小化したランプアセンブリを使用して体積が大きく減少された液晶表示装置を提供することにある。
【００２４】
【課題を解決するための手段】
上述した目的を達成するための本発明のランプアセンブリは、複数の側面を有し、外部から供給された光の方向及び光学分布を変更するための導光板と、前記複数の側面のうち、少なくとも二つの側面を取囲むように配置された第１ランプチューブ、前記第１ランプチューブの第１端部に配置された第１電極、及び前記第１端部と反対側の第２端部に配置された第２電極を含む第１ランプと、前記複数の側面のうち、前記少なくとも二つの側面以外の側面に配置され、前記第１端部と隣接する第３端部と前記第３端部と隣接する第４端部とを有する第２ランプチューブ、前記第３端部に配置された第３電極、及び前記第４端部に配置された第４電極を含む第２ランプと、導電性プレート及び前記第１電極及び前記第３電極の外側面をグリップするために前記導電性プレートから突出した導電性クリップを有し、前記第１電極及び前記第３電極を電気的に連結するためのランプ連結部材と、前記ランプ連結部材から突出し、接地される接地部と、前記第２電極及び前記第４電極に１８０°の位相差を有し同一の電圧レベルを有する放電電圧を供給する放電電圧供給手段とを含む。
【００２５】
また、上述した他の目的を達成するための本発明のバックライトアセンブリは、プレート形状に形成され、４つの側面を有し、外部から供給された光の方向及び光学分布を変更するための導光板と、前記４個の側面のうち２個の側面を取囲むＬ字形状の第１ランプチューブ、前記第１ランプチューブの第１端部表面に配置された第１電極、及び前記第１ランプチューブの前記第１端部と対向する第２端部の内部に配置された第２電極を含む第１ランプと、前記４個の側面のうち前記２つの側面以外の２つの側面を取囲むＬ字形状の第２ランプチューブ、前記第１電極と隣接する前記第２ランプチューブの第３端部の表面に配置された第３電極、及び前記第２電極と隣接する前記第２ランプチューブの第４端部の内部に配置された第４電極を含む第２ランプと、導電性プレート及び前記第１電極及び前記第３電極の外側面をグリップするために前記導電性プレートから突出した導電性クリップを有し、前記第１電極及び前記第３電極を電気的に連結するためのランプ連結部材と、前記ランプ連結部材から突出し、接地される接地部と、前記第２電極及び前記第４電極に互いに１８０°の位相差を有し電圧レベルが同一の放電電圧を供給する放電電圧供給手段とを含む。
【００２６】
また、上述したまた他の目的を達成するための本発明の液晶表示装置は、バックライトアセンブリと、前記バックライトアセンブリから発生した前記光を受けて情報が含まれたディスプレー光を発生させる液晶表示パネルアセンブリとを含み、前記バックライトアセンブリが、複数の側面を有し、外部から供給された光の方向及び光学分布を変更するための導光板と、前記複数の側面のうち、少なくとも二つの側面を取囲むように配置された第１ランプチューブ、前記第１ランプチューブの第１端部に配置された第１電極、及び前記第１端部と反対側の第２端部に配置された第２電極を含む第１ランプと、前記複数の側面のうち、前記少なくとも二つの側面以外の側面に配置され、前記第１端部と隣接する第３端部と前記第３端部と隣接する第４端部とを有する第２ランプチューブ、前記第３端部に配置された第３電極、及び前記第４端部に配置された第４電極を含む第２ランプと、導電性プレート及び前記第１電極及び前記第３電極の外側面をグリップするために前記導電性プレートから突出した導電性クリップを有し、前記第１電極及び前記第３電極を電気的に連結するためのランプ連結部材と、前記ランプ連結部材から突出し、接地される接地部と、前記第２電極及び前記第４電極に１８０°の位相差を有し同一の電圧レベルを有する放電電圧を供給する放電電圧供給手段とを含む。
【００２７】
本発明によると、液晶に光を供給するためのランプに電源を印加するランプワイヤの長さを最小化することにより、液晶表示装置の体積を大きく減少させることができる。また、ランプの寿命が尽きた時、ランプを容易に交替することができる。
【００２８】
【発明の実施の形態】
以下、図面を参照して本発明の望ましい一実施形態をより詳細に説明する。
【００２９】
図４は、本発明の望ましい一実施形態によりランプワイヤの長さを最小化することは勿論、ランプワイヤの長さを最小化することにより、不必要な体積までも共に減少させることができるバックライトアセンブリを示している。
【００３０】
バックライトアセンブリ２５０は導光板２８０、第１ランプ２１０、第２ランプ２２０、放電電圧供給装置２３０、ランプ連結部材２４０及び収納容器２６０とを含む。
【００３１】
導光板２８０は一実施形態として、直方体のプレート形状を有する。より具体的に、導光板２８０は少なくとも３つの側面、光反射面、光射出面を有するように製作することができる。本発明では、一実施形態として導光板２８０が４つの側面を有する。以下、４つの側面を第１側面２８１、第２側面２８２、第３側面２８３、第４側面２８４と称する。
【００３２】
このような構成を有する導光板２８０は光の進行方向を変更させ且つ光学分布を変更させる役割を有する。より具体的に、導光板２８０の第１側面２８１乃至第４側面２８４を通じて供給された光は光反射面に反射される過程で、光学分布が変更されるとともに光の進行経路が変更され光射出面に射出される。
【００３３】
一方、第１ランプ２１０及び第２ランプ２２０は導光板２８０の第１側面２８１乃至第４側面２８４に光を供給する役割を有する。
【００３４】
本発明では望ましい一実施形態として、第１ランプ２１０が導光板２８０の第１側面２８１及び第２側面２８２に光を供給し、第２ランプ２２０が導光板２８０の第３側面２８３及び第４側面２８４に光を供給する。
【００３５】
より具体的に、第１ランプ２１０は導光板２８０の第１側面２８１及び第１側面２８１に隣接する第２側面２８２からなる角度と同一の角度により折り曲げられた形状を有する。本発明では導光板２８０が望ましい一実施形態として直方体形状を有するので、第１ランプ２１０はＬ字形状を有する。
【００３６】
また、第２ランプ２２０は導光板２８０の第３側面２８３及び第３側面２８３に隣接する第４側面２８４からなる角度と同一の角度に折り曲げられた形状を有する。本発明では導光板２８０が望ましい一実施形態として直六面体形状を有するために、第２ランプ２２０もまたＬ字形状を有する。そして、Ｌ字形状を有する第１ランプ２１０及び第２ランプ２２０は、図４に示すように、導光板２８０を取囲むように配置される。
【００３７】
このようにＬ字形状により製作された第１ランプ２１０及び第２ランプ２２０は、各々二つの端部を有する。
【００３８】
以下、第１ランプ２１０の両側端部に図面符号２１２ｄ、２１２ｅを付与し、第１端部２１２ｄ及び第２端部２１２ｅと称する。また、第２ランプ２２０の両側端部に図面符号２２２ｄ、２２２ｅを付与し、第３端部２２２ｄ、第４端部２２２ｅと称する。
【００３９】
この時、第１ランプ２１０の第１端部２１２ｄ及び第２ランプ２２０の第３端部２２２ｄは第２側面２８２及び第３側面２８３の角部分で向き合い、第１ランプ２１０の第２端部２１２ｅ及び第２ランプ２２０の第４端部２２２ｅは第１側面２８１及び第４側面２８４の角部分で向き合う。
【００４０】
以下、このような配置を有する第１ランプ２１０及び第２ランプ２２０をより具体的に説明する。
【００４１】
第１ランプ２１０はＬ字形状を有する第１ランプチューブ２１２、第１電極２１４及び第２電極２１６により構成される。
【００４２】
第１ランプチューブ２１２は、図５に示したように、第１ランプチューブ本体２１２ａ、第１ランプチューブ本体２１２ａの内壁に塗布された蛍光物質２１２ｂ、及び放電ガス２１２ｃにより構成される。図４に示すように、このような構成を有する第１ランプチューブ２１２の、第１端部２１２ｄ及び第２端部２１２ｅには、放電電圧が印加される第１電極２１４及び第２電極２１６が位置する。
【００４３】
第２ランプ２２０は、Ｌ字形状を有する第２ランプチューブ２２２、第３電極２２４及び第４電極２２６により構成される。
【００４４】
第２ランプチューブ２２２は、図５に示したように、第２ランプチューブ本体２２２ａ、第２ランプチューブ本体２２２ａの内壁に塗布された蛍光物質２２２ｂ及び放電ガス２２２ｃにより構成される。図４に示すように、このような構成を有する第２ランプチューブ２２２の第３端部２２２ｄ及び第４端部２２２ｅには放電電圧が印加される第３電極２２４及び第４電極２２６が位置する。
【００４５】
このような配置及び構成を有する第１ランプ２１０及び第２ランプ２２０を駆動するためには、放電電圧供給装置２３０及びランプ連結部材２４０を必要とする。
【００４６】
まず、放電電圧供給装置２３０は一実施形態として図４に示した実施形態及び図６に示した実施形態により示される。
【００４７】
図４に示した放電電圧供給装置２３０は、第１インバータ２３５及び第２インバータ２３７により構成される。
【００４８】
第１インバータ２３５は、一実施形態として第１直流電源電圧を供給する第１電源供給装置２３５ａ、第１電源供給装置２３５ａから供給された第１直流電源電圧を昇圧し第１位相を有する第１交流電源電圧にコンバーティングする変圧部２３５ｂ、及び、変圧部２３５ｂからの第１交流電源電圧を出力する第１出力端２３５ｃにより構成される。この時、第１出力端２３５ｃは第１ランプ２１０の第２電極２１６に連結される。
【００４９】
一方、第２インバータ２３７は、一実施形態として第１直流電源電圧を供給する第２電源供給装置２３７ａ、第２電源供給装置２３７ａから供給された第１直流電源電圧を昇圧し第２位相を有する第２交流電源電圧にコンバーティングする変圧部２３７ｂ、及び、変圧部２３７ｂからの第２交流電源電圧を出力する第２出力端２３７ｃにより構成される。この時、第２出力端２３７ｃは第２ランプ２２０の第４電極２２６に連結される。
【００５０】
この時、第１及び第２交流電源の電圧レベルは放電ガスをイオン化するに十分な電圧レベルとなるようにする。また、第１出力端２３５ｃから出力された第１交流電源電圧及び第２出力端２３７ｃから出力された第２交流電源電圧の電圧レベルは同一であるが、相異する位相を有する。
【００５１】
図７に示すように、グラフＡは第１出力端２３５ｃで発生した第１交流電源電圧の第１位相であり、グラフＢは第２出力端２３７ｃで発生した第２交流電源電圧の第２位相である。グラフＡ及びグラフＢを比較すると、第１出力端２３５ｃで発生した第１交流電源電圧と第２出力端２３７ｃで発生した第２交流電源電圧とは１８０°の位相差を有する。
【００５２】
一方、図６には第１ランプ２１０及び第２ランプ２２０を駆動するための放電電圧供給装置２３０の他の実施形態が示している。
【００５３】
図６に示した放電電圧供給装置２３０は、インバータ２３９及び位相変調器２３９ａにより構成される。
【００５４】
より具体的に、インバータ２３９は、直流電源を供給する直流電源供給装置２３９ｂ、変圧部２３９ｃ、第１位相を有する第１交流電源電圧が並列に出力される二つの第２、第３出力線２３９ｄ、２３９ｅ、位相変調器２３９ａ、及び、位相変調器２３９ａから第２交流電源電圧が出力される第４出力線２３９ｆにより構成される。
【００５５】
より具体的に、直流電圧供給装置２３９ｂで出力された第１直流電源電圧は、変圧部２３９ｃで昇圧され、第１位相を有する第１交流電源電圧にコンバーティングされる。変圧部２３９ｃから出力された第１交流電源電圧は二つに分岐された第２、第３出力線２３９ｄ、２３９ｅに供給される。
【００５６】
この時、第２出力線２３９ｄは第１ランプ２１０の第２端部２１２ｅに連結され、第３出力線２３９ｅは位相変調器２３９ａに接続される。位相変調器２３９ａは、第３信号線３２９ｅを介して供給された第１交流電源電圧を、第１交流電源電圧に対して１８０°の位相差を有する第２交流電源電圧に変調する。位相変調器２３９ａから出力された第２交流電源電圧は、第４出力線２３９ｆに印加される。第４出力線２３９ｆは、第２ランプ２２０の第４電極２２６に連結される。
【００５７】
この時、図４又は図５の状態では、第２電極２１６に第１交流電源電圧を供給し且つ第４電極２２６に第２交流電源電圧を印加しても、第１ランプ２１０及び第２ランプ２２０は点灯されない。これは第１ランプ２１０の第１電極２１４と第２電極２１６及び、第２ランプ２２０の第３電極２２４と第４電極２２６が、閉回路をなさないためである。
【００５８】
第１ランプ２１０の第１電極２１４と第２電極２１６及び第２ランプ２２０の第３電極２２４及び第４電極２２６が閉回路をなすためには、第１電極２１４及び第３電極２２４を接地させる方法がある。この場合、従来と同様に第１電極２１４及び第３電極２２４に別途のランプワイヤを設けることは望ましくない。
【００５９】
本発明では、ランプワイヤを使用せずに、第１ランプ２１０及び第２ランプ２２０が接地された状態と同様の状態にするために、ランプ連結部材２４０が使用される。
【００６０】
ランプ連結部材２４０は、第１ランプ２１０に第１位相で印加された第１交流電源電圧及び第２ランプ２２０に第１位相に対して１８０°の位相差を有する第２位相で印加された第２交流電源電圧が相殺され０（ゼロ）電圧レベルを有するようにして、接地された場合と同様の状態となるようにする。即ち、ランプ連結部材２４０を使用することにより、従来必ず使用されたランプワイヤを使用せずに、ランプワイヤを使用したものと同一の効果が得られる。
【００６１】
ランプ連結部材２４０に導電性のよいどのような物質を使用しても、同一の効果が得られる。
【００６２】
即ち、ランプ連結部材２４０として第１ランプ２１０の第１電極２１４及び第２ランプ２２０の第３電極２２４を溶接した導電性ワイヤを使用することもできる。
【００６３】
しかし、第１ランプ２１０及び第２ランプ２２０が一定周期で交替しなければならないので、第１電極２１４及び第３電極２２４を溶接する方法は望ましくない。
【００６４】
以下の説明では、これを鑑みたランプ連結部材２４０の二つ実施形態を示す。
【００６５】
図８には、第１ランプ２１０の第１電極２１４及び第２ランプ２２０の第３電極２２４をグリップするクリップタイプランプ連結部材２４０が示されている。
【００６６】
クリップタイプランプ連結部材２４０は、導電性プレート２４２とクリップ２４４ａ、２４４ｂ；２４４とにより構成される。より具体的には、導電性プレート２４２は、、Ｌ字形状に折れた薄い導電性プレート２４２である。この時、導電性プレート２４２のＬ字形状を構成する２つの直線部分の一方に図面符号２４２ａを付与し、他方には図面符号２４２ｂを付与する。
【００６７】
この時、導電性プレート２４２のうち、図面符号２４２ａが付与された部分及び図面符号２４２ｂが付与されたところにはクリップ２４４が設けられる。このクリップ２４４は、第１ランプ２１０の第１端部２１２ｄが配置される部分に形成され、第１ランプ２１０をグリップして保持する第１クリップ２４４ａ、及び、第２ランプ２２０の第３端部２２２ｄが配置される部分に形成され、第２ランプ２２０をグリップして保持する第２クリップ２４４ｂにより構成される。
【００６８】
一方、図９にはランプ連結部材の他の実施形態が示している。図９のランプ連結部材に新しい図面符号２４５を付与する。ランプ連結部材２４５は、導電性ホルダ２４６及び導電性ホルダ２４６の外側面を絶縁させる絶縁被覆２４７により構成される。具体的に、導電性ホルダ２４６はパイプ形状に第１端部２４６ａ及び第１端部２４６ａと反対側の第２端部２４６ｂを有する。
【００６９】
前述した図８及び図９に示したランプ連結部材２４０、２４５に第１ランプ２１０及び第２ランプ２２０をより効率的に結合するために、図１０に示したように第１ランプ２１０の第１電極２１４が第１ランプチューブ２１２の外側面に形成され、且つ図１１に示したように第２ランプ２２０の第３電極２２４が第２ランプチューブ２２２の外側面に形成されることが望ましい。
【００７０】
このように、第１電極２１４及び第３電極２２４をそれぞれ第１ランプチューブ２１２及び第２ランプチューブ２２２の外側面に形成する場合、図８又は図９に示したランプ連結部材２４０、２４５との結合および分解が非常に容易であるという長所がある。
【００７１】
また、第１電極２１４及び第３電極２２４を第１ランプチューブ２１２及び第２ランプチューブ２２２の外側面にそれぞれ形成した状態では、図６に示したように一つのインバータ２３９を有する放電電圧供給装置２３０により第１ランプ２１０及び第２ランプ２２０を駆動する時に発生する輝度不均一を大きく減少させることができるという長所がある。
【００７２】
図１２には、図８に示したランプ連結部材２４０に第１ランプ２１０の第１電極２１４及び第２ランプ２２０の第３電極２２４が結合されることが示されている。具体的に、第１ランプ２１０の第１電極２１４は第１クリップ２４４ａに結合され、第２ランプ２２０の第３電極２２４は第２クリップ２４４ｂに結合される。
【００７３】
一方、このようなランプ連結部材２４０を用いる技術は第１ランプ２１０の第２電極２１６及び第２ランプ２２０の第４電極２２６にも十分に適用することができる。これのために、第２電極２１６及び第４電極２２６を、それぞれ第１ランプチューブ２１２及び第２ランプチューブ２２２の外側表面に形成することが望ましい。この場合、ランプ連結部材には、放電電圧供給装置２３０の出力線が連結される。
【００７４】
一方、図１３には、本発明の一実施形態によるバックライトアセンブリ２５０が含まれた液晶表示装置５００の全体分解斜視図が示されている。
【００７５】
液晶表示装置５００は、液晶表示パネルアセンブリ１００及び詳述したバックライトアセンブリ２５０により構成される。これに加えて、液晶表示装置５００は、液晶表示パネルアセンブリ１００とバックライトアセンブリ２５０を固定するシャーシ３００とをさらに含む。
【００７６】
バックライトアセンブリ２５０は、液晶表示パネルアセンブリ１００に光を供給する役割を有する。これを具現するために、バックライトアセンブリ２５０は、第１ランプ２１０、第２ランプ２２０、放電電圧供給装置２３０、ランプ連結部材２４０、収納容器２６０、導光板２８０及び光学シート類２９０により構成される。説明されない図面符号５７０は反射板である。
【００７７】
第１ランプ２１０、第２ランプ２２０、放電電圧供給装置２３０、ランプ連結部材２４０及び導光板２８０については前述したので、その重複された説明は省略し、これらの構成要素には、同一の図面符号及び名称を使用する。
【００７８】
以下、バックライトアセンブリ２５０の相互結合関係を説明する。
【００７９】
まず、図１３に示したように、収納容器２６０に反射板２７０第１ランプ２１０及び第２ランプ２２０が四角フレーム形態になるように配された状態で、導光板２８０が結合される。
【００８０】
即ち、導光板２８０の第１乃至第４側面２８１、２８２、２８３、２８４が第１ランプ２１０又は第２ランプ２２０と向き合うように、収納容器２６０に導光板２８０が配置される。
【００８１】
このような状態で、収納容器２６０には、導光板２８０の上面に位置するように、光学シート類２９０がさらに配置される。光学シート類２９０は、バックライトアセンブリ２５０及び導光板２８０を経て光学分布及び光の方向が変更された光の輝度をより均一にする拡散板、及び拡散板で射出された光の方向を再び変更させるプリズムシートを使用することが望ましい。
【００８２】
このような構成を有するバックライトアセンブリ２５０には、図１３に示したような液晶表示パネルアセンブリ１００が結合される。液晶表示パネルアセンブリ１００は、バックライトアセンブリ２５０から供給された光を制御して、イメージ情報が含まれたイメージ光を生成する役割を有する。
【００８３】
より具体的に、イメージ光を生成するための液晶表示パネルアセンブリ１００は、液晶を制御するためのＴＦＴ基板１２０と、カラーフィルタ基板１１０と、これらにより制御され光透過度を変更する液晶（図示せず）とにより構成される。
【００８４】
これらのうち、ＴＦＴ基板１２０は、ガラス基板上に、解像度に適合した個数の画素電極を配列することにより形成され、各画素電極には所望の電源電圧が印加される。この各々の画素電極はサイズが数μｍにすぎない薄膜トランジスターから電源電圧が印加される。
【００８５】
一方、カラーフィルタ基板１１０は、ＴＦＴ基板１２０と向き合う関係を有し、レファランス電圧が印加された共通電極及び液晶を通過した光の波長をフィルタリングするカラーフィルタにより構成される。
【００８６】
液晶はカラーフィルタ基板１１０とＴＦＴ基板１２０との間に注入され、カラーフィルタ基板１１０の共通電極とＴＦＴ基板１２０の画素電極との間に形成された電界差により光透過度を変更する役割を有する。
【００８７】
説明されない図面符号１３０はＴＦＴ基板１２０に形成された薄膜トランジスターに各種駆動信号を提供する駆動モジュールであり、、図面符号１３５は印刷回路基板であり、図面符号１３７は印刷回路基板１３５とＴＦＴ基板１２０を連結するテープキャリアパッケージである。
【００８８】
このような構成を有する液晶表示パネルアセンブリ１００は、前述したバックライトアセンブリ２５０の収納容器２６０に結合される。バックライトアセンブリ２５０に液晶表示パネルアセンブリ１００が結合された状態で、図１４又は図１５に示したようにシャーシ３００がバックライトアセンブリ２５０の収納容器２６０に固定されることによって、シャーシ３００、液晶表示パネルアセンブリ１００及びバックライトアセンブリ２５０は互いに結合される。
【００８９】
ここで、図１４のうち、説明されない図面符号２４９は、外部から収納容器２６０に加えられた衝撃により第１ランプ２１０及び第２ランプ２２０が破損することを防止する衝撃防止部材である。この衝撃防止部材２４９は、外力を吸収する部材であればどのような部材が使用されてもよい。
【００９０】
シャーシ３００は、クランプ形状の断面を有し、全体として四角フレーム形状に形成されている。シャーシ３００の一側面３１０は弱くて割れやすい液晶表示パネルアセンブリ１００のエッジを固定して保護し、シャーシ３００の他の側面３２０はバックライトアセンブリ２５０の構成要素である収納容器２６０の外側面と結合する。
【００９１】
このような構成を有するシャーシ３００は、一実施形態では、強度が優れ、導電性であるステンレスにより形成され、液晶表示装置５００を接地するのに特に適している。
【００９２】
このような理由で、図１４又は図１５に示したように、バックライトアセンブリ２５０の構成要素であるランプ連結部材２４０は、シャーシ３００に接地される。図１４では、バックライトアセンブリ２５０とシャーシ３００の接地構造を図示するために、液晶表示パネルアセンブリ１００と光学シート類２９０、導光板２８０などは図面上で省略されている。
【００９３】
より具体的に、第１電極２１４及び第３電極２２４を電気的に連結するランプ連結部材２４０から、接地部２４９が突出している。この接地部２４９は、収納容器２６０の側壁の内側面に沿って、側壁の外側面まで延びる。
【００９４】
収納容器２６０の側壁外側に延びた接地部２４９は、図１５に示したようにシャーシ３００と接触し、これにより、第１電極２１４及び第３電極２２４はシャーシ３００に接地される。
【００９５】
以上、本発明の実施例によって詳細に説明したが、本発明はこれに限定されず、本発明が属する技術分野において通常の知識を有するものであれば本発明の思想と精神を離れることなく、本発明を修正または変更できるであろう。
【００９６】
【発明の効果】
本発明によると、液晶に光を供給するためのランプに電源電圧を印加するランプワイヤの長さを最小化することにより、液晶表示装置の体積を大きく減少させる効果が得られる。
【００９７】
また、本発明はランプワイヤの長さを短くしたので、ランプの寿命が尽きた時、ランプを容易に交替することができるようになるという効果も得られる。
【図面の簡単な説明】
【図１】従来の冷陰極線管方式ランプの部分切開斜視図である。
【図２】従来の他の冷陰極線管方式ランプの斜視図である。
【図３】従来の冷陰極線管方式ランプのランプワイヤによる液晶表示装置の体積増加を説明するための部分断面斜視図である。
【図４】本発明の一実施形態によるバックライトアセンブリの概念図である。
【図５】図４のＣ−Ｃ断面図である。
【図６】本発明の他の実施形態によるバックライトアセンブリの概念図である。
【図７】本発明の一実施形態による第１ランプ及び第２ランプの位相差を説明するためのグラフである。
【図８】本発明の一実施形態によるランプ連結部材の外観斜視図である。
【図９】本発明の他の一実施形態によるランプ連結部材の外観斜視図である。
【図１０】本発明の一実施形態による第１ランプの第１電極を示したＡ部分の拡大図である。
【図１１】本発明の一実施形態による第２ランプの第３電極を示したＢ部分の拡大図である。
【図１２】本発明の一実施形態によるランプ連結部材と第１ランプと第２ランプとの結合関係を示した分解斜視図である。
【図１３】本発明の一実施形態による液晶表示装置の分解斜視図である。
【図１４】本発明の一実施形態によるバックライトアセンブリのランプ連結部材とシャーシとの接地関係を示した部分切開斜視図である。
【図１５】図１４のＤ−Ｄ断面図である。
【符号の説明】
２１０    第１ランプ
２１２    第１ランプチューブ
２２０    第２ランプ
２２２    第２ランプチューブ
２３０    放電電圧供給装置
２４０    ランプ連結部材
２６０    収納容器
２５０    バックライトアセンブリ
２８０    導光板
２８１、２８２、２８３、２８４    側面
５００    液晶表示装置
【図１】
0004112337.tif 000002
【図２】
0004112337.tif 000003
【図３】
0004112337.tif 000004
【図４】
0004112337.tif 000005
【図５】
0004112337.tif 000006
【図６】
0004112337.tif 000007
【図７】
0004112337.tif 000008
【図８】
0004112337.tif 000009
【図９】
0004112337.tif 000010
【図１０】
0004112337.tif 000011
【図１１】
0004112337.tif 000012
【図１２】
0004112337.tif 000013
【図１３】
0004112337.tif 000014
【図１４】
0004112337.tif 000015
【図１５】
0004112337.tif 000016